(57)【要約】  【課題】  内箱と外箱との間に形成された断熱材充填空間と、前記外箱に形成され前記断熱材充填空間へ発泡断熱材の原料を注入するための注入孔と、前記注入孔の内側に設けられこの注入孔を開閉自在に塞ぐ金属平板とを備える断熱箱体において、注入孔を強固に塞ぐことのできる断熱箱体を提供するものである。  【解決手段】  金属平板は、外箱を形成する金属板と同じ金属板からなると共に、この金属平板の一端側が回動可能になるようにこの金属平板の他端側を前記外箱の内側に貼付けるスポンジ材を備えたことを特徴とする。【選択図】  図４
2006275434.tif 000002
【特許請求の範囲】
【請求項１】
内箱と外箱との間に形成された断熱材充填空間と、前記外箱に形成され前記断熱材充填空間へ発泡断熱材の原料を注入するための注入孔と、前記注入孔の内側に設けられこの注入孔を開閉自在に塞ぐ金属平板とを備える断熱箱体において、
前記金属平板(3)は、前記外箱(1)を形成する金属板と同じ金属板からなると共に、この金属平板(3)の一端側(3a)が回動可能になるようにこの金属平板の他端側(3b)を前記外箱(1)の内側(1a)に貼付けるスポンジ材(4)を備えたことを特徴とする断熱箱体。
【請求項２】
前記金属平板(3)は４角形であることを特徴とする請求項１に記載の断熱箱体。
【請求項３】
前記スポンジ材(4)は、軟質ウレタンフォームに両面テープで接着面を形成したものであることを特徴とする請求項１又は請求項２に記載の断熱箱体。
【請求項４】
前記金属平板(3)は、実質的に可撓性が無いことを特徴とする請求項１〜請求項３のいずれか一項に記載の断熱箱体。
【発明の詳細な説明】
【技術分野】
【０００１】
本発明は、冷蔵庫等の断熱箱体に関する。
【背景技術】
【０００２】
本発明は、内箱と外箱との間に形成した断熱材充填空間へ発泡断熱材の原液（断熱材の原料）を注入する注入孔を備えるとともに、この注入孔を閉塞する注入孔閉塞用の金属平板を備えた断熱箱体に関する。
【０００３】
内箱と外箱との間に形成した断熱材充填空間へ断熱材の原料を注入する注入孔を外箱に形成し、断熱材充填空間側にこの注入孔を開閉する可撓性の注入孔閉塞シートを備えた冷蔵庫がある（例えば、特許文献１参照）。
【０００４】
この特許文献１には、冷蔵庫の背面を上向きにして、背面に形成した注入孔へ注入ヘッドを挿入して断熱材充填空間に断熱材を充填する形態が開示されている。そして、注入孔の内側には、舌状に形成した注入孔閉塞シート（樹脂性シート）が片持ち状態に設けられている。この注入孔閉塞シートを撓ませて押し下げるように注入ヘッドを注入孔へ挿入して発泡断熱材の原料を注入すると、断熱材充填空間内で発泡して断熱材充填空間に充填されつつ立ち上がり、その発泡圧力によって注入孔シールが押し上げられ、注入孔を塞ぐことが開示されている。
【０００５】
しかし、この注入孔閉塞シートは、合成樹脂製であり、注入孔閉塞シートは発泡圧によって注入孔を通って注入孔の外側へ山型に張り出す膨らみが生じ、冷蔵庫の背面、即ち外箱の外面からこの膨らみが突出状態となる。
【特許文献１】特開平０７−２３７２３０号公報（第１頁、図８〜１０）
【特許文献２】特開平０５−１１３２８８号公報
【発明の開示】
【発明が解決しようとする課題】
【０００６】
本発明は、注入孔を強固に塞ぐことのできる断熱箱体を提供するものである。
【課題を解決するための手段】
【０００７】
本発明は、内箱と外箱との間に形成された断熱材充填空間と、前記外箱に形成され前記断熱材充填空間へ発泡断熱材の原料を注入するための注入孔と、前記注入孔の内側に設けられこの注入孔を開閉自在に塞ぐ金属平板とを備える断熱箱体において、前記金属平板は、前記外箱を形成する金属板と同じ金属板からなると共に、この金属平板の一端側が回動可能になるようにこの金属平板の他端側を前記外箱の内側に貼付けるスポンジ材を備えたことを特徴とする。
【０００８】
更に本発明は、前記金属平板は４角形であることを特徴とする。
【０００９】
更に本発明は、前記スポンジ材は、軟質ウレタンフォームに両面テープで接着面を形成したものであることを特徴とする。
【００１０】
更に本発明は、前記金属平板は、実質的に可撓性が無いことを特徴とする。
【００１１】
更に本発明は、前記金属平板は４角形であり、前記スポンジ材はこの４角形の一辺周辺を外箱の内側に貼付けるものであることを特徴とする。
【００１２】
また、本発明は、前記金属平板は、断熱発泡剤の注入時において、実質的に可撓性が無いことを特徴とする。
【発明の効果】
【００１３】
本発明では、注入孔を塞ぐ金属平板は、外箱を形成する金属板と同等の金属平板であるので、注入孔を堅固に塞ぐことができる。
【発明を実施するための最良の形態】
【００１４】
本発明は、内箱と外箱との間に形成された断熱材充填空間と、前記外箱に形成され前記断熱材充填空間へ発泡性断熱材の原料を注入する注入孔と、前記注入孔の内側に設けられこの注入孔を開閉自在に塞ぐ金属平板とを備える断熱箱体において、前記金属平板は、前記外箱を形成する金属板と同じ金属板からなると共に、この金属平板の一端側が回動可能になるようにこの金属平板の他端側を前記外箱の内側に貼付けるスポンジ材を備えたことを特徴とする。
【実施例１】
【００１５】
図１〜図５を参照しつつ、本発明の実施例１について説明する。図１は外箱の内側へ注入孔を閉塞するための金属平板を取り付け時の説明図である。図２は、金属平板が取り付けられた外箱の内側からの斜視図である。図３は注入前の断面図である。図４は注入時の断面図である。図５は発泡後の断面図である。
【００１６】
図１において、１は外箱である。１ａは外箱の内側であり、発泡断熱材が充填される側である。２は発泡断熱材の注入孔である。３は外箱１を形成する金属板と同じ金属板を正方四角形に切り取った金属平板である。この金属平板３は外箱と同じ金属板からなり、従前のように注入ノズルの挿入時に撓むことはない。金属平板３は注入孔２を塞ぐようにこの外箱１の内側１ａに配置される。４はスポンジ材（軟質ウレタンフォーム）であり、このスポンジ材４の下面は両面テープにより接着面となっている。このスポンジ材４は、金属平板３の一端側３ａが回動可能になるようにこの金属平板３の他端側の一辺３ｂ周辺を外箱１の内側１ａに貼付けている。
【００１７】
貼付け後の斜視図である図２からも判るように、スポンジ材４は金属平板３の一辺より長いため、このスポンジ材４には段差部４ａ，４ｂが形成されている。
【００１８】
この後の発泡断熱充填時の模様を図３〜図５を参照しつつ説明する。
【００１９】
図３において、図中の下方は実際においても下である。外箱１の斜面に注入孔２が設けられ、この外箱１の内面１ａ（発泡断熱材充填側）にスポンジ材４により金属平板３が、外箱１の内面（下面）に注入孔２を塞ぐように位置している。
【００２０】
図４に発泡断熱材の注入ヘッド５挿入時の断面図を示す。注入ヘッド５の挿入より金属平板３が押される。金属平板３は外箱１を形成する金属板と同じ金属板を４角に切って製作しており、実質的に撓むようなことはなく、一辺３ｂ側を支点に他端３ａ側が回動する。この時、スポンジ材４が伸びてこの金属平板３の回動を許容する。
【００２１】
この金属平板３の回動角度が小さくても注入ヘッド５の挿入が十分に行えるように、注入孔２が設けられた外箱１の部分を斜面とし、且つ、スポンジ材４を注入孔２より下方ではなく、上方に設けている。これにより、外箱１の内側１ａに対して金属平板３の回転角度は小さくなり、金属平板３の回動によるスポンジ材４の段差部（図２の４ａ，４ｂ参照）での破れを防止できる。
【００２２】
この図４の状態で注入孔２へ差し込んだ注入ヘッド５を通して発泡断熱材の原料を内箱と外箱の間の断熱材充填空間へ注入する。この注入によって発泡断熱材の原料は、断熱材充填空間の下方部分から発泡して断熱材充填空間内を立ち上がりつつ、断熱材充填空間内に充填された発泡断熱材６の層が形成される。
【００２３】
断熱材充填空間への発泡断熱材の原料の注入が終わって注入ヘッド５を注入孔２から抜き出すことによって、金属平板３はスポンジ材４の復元力により元の位置に戻り、注入孔２を塞ぐ。
【００２４】
そして、断熱材充填空間内で膨張した発泡断熱材６からの発泡圧力によって、金属平板３は注入孔２へ向けて押され、注入孔２からの発泡断熱材の漏れを防止する。
【００２５】
なお、この実施例１では金属平板３は外箱１を形成する金属板と同一の金属板を４角形に切ったものであるが、これは、色、柄、厚み、硬度、手触り感等が同等の金属板を４角形に切ったものであっても良い。
【００２６】
本発明は、上記実施形態に限定されず、種々の形態の断熱箱体であり、冷蔵庫、恒温庫、冷凍庫等に適用でき、本発明の技術的範囲を逸脱しない限り種種の変更が考えられ、それに係る種種の実施形態を包含するものである。
【図面の簡単な説明】
【００２７】
【図１】本発明の実施例１において断熱箱体の注入孔に閉塞用の金属平板を取り付ける説明図である。
【図２】実施例１において注入孔に閉塞用の金属平板を取り付けた斜視図である。
【図３】実施例１において注入孔付近の断面図である。
【図４】実施例１において注入ヘッドを挿入した時の注入孔付近の断面図である。
【図５】実施例１において注入ヘッドを挿入した時の注入孔付近の断面図である。
【符号の説明】
【００２８】
１・・・外箱
２・・・注入孔
３・・・注入孔を塞ぐ金属平板
４・・・スポンジ材
６・・・発泡断熱材
【図１】
2006275434.tif 000003
【図２】
2006275434.tif 000004
【図３】
2006275434.tif 000005
【図４】
2006275434.tif 000006
【図５】
2006275434.tif 000007